(57)【要約】【解決手段】一端部に開口部を画定する内側フランジ(26)を有する構造体(20)に取り付けるためのケーブル設置装置(2) は、プラットフォーム(4) と、プラットフォームに取り付けられたケーブルウィンチ(14)と、構造体の内側フランジに取り付け可能であり、プラットフォームを支持するための基部(6) とを備えており、基部(6) は、ケーブル設置装置を構造体に導くためにケーブル設置装置が取り付けられる内側フランジ(26)と係合すべく構成された少なくとも１つのガイド部材(10)を有している。本発明に係るケーブル設置装置により、ケーブル設置装置がタービン塔部のような構造体のフランジ付端部に一回の持上げ及び整列操作で迅速、簡単且つ安全に、従って安価に設置されることが可能になる。
2014533081.tif 000002
【特許請求の範囲】
【請求項１】
一端部に開口部を画定する内側フランジを有する構造体に取り付けるためのケーブル設置装置であって、
−  プラットフォーム、
−  該プラットフォームに取り付けられたケーブルウィンチ、及び
−  前記構造体の内側フランジに取り付け可能であり、前記プラットフォームを支持するための基部
を備えており、
前記基部は、前記ケーブル設置装置を前記構造体に導くために、前記ケーブル設置装置が取り付けられる内側フランジと係合すべく構成された少なくとも１つのガイド部材を有していることを特徴とするケーブル設置装置。
【請求項２】
前記基部は前記プラットフォームに着脱可能に取り付けられていることを特徴とする請求項１に記載のケーブル設置装置。
【請求項３】
前記構造体の特定の大きさと一致させるために、前記基部は複数の様々な大きさの基部から選択してあることを特徴とする請求項２に記載のケーブル設置装置。
【請求項４】
前記基部及び／又はプラットフォームは、コンパクトな収容のために積み重ねられるべく構成されていることを特徴とする請求項２又は３に記載のケーブル設置装置。
【請求項５】
前記基部は、前記構造体の内側フランジ付開口部の上に前記プラットフォームを軸方向に位置付けるべく構成されていることを特徴とする請求項１乃至４のいずれかに記載のケーブル設置装置。
【請求項６】
前記ケーブルウィンチは、ウィンチワイヤ及びケーブルの軸方向の引回しが前記構造体を通して行われるために前記プラットフォームに取り付けられていることを特徴とする請求項５に記載のケーブル設置装置。
【請求項７】
前記基部は前記プラットフォームに取り付けるためのプラットフォーム取付部分を有しており、前記少なくとも１つのガイド部材は前記プラットフォーム取付部分から延びていることを特徴とする請求項１乃至６のいずれかに記載のケーブル設置装置。
【請求項８】
前記プラットフォーム取付部分の大きさ及び形状が、前記プラットフォームの大きさ及び形状と一致していることを特徴とする請求項７に記載のケーブル設置装置。
【請求項９】
前記基部は、前記プラットフォーム取付部分から下方に延びる少なくとも３つの間隔を置いて配置された長尺部材を有していることを特徴とする請求項７又は８に記載のケーブル設置装置。
【請求項１０】
前記長尺部材は、前記プラットフォームを支持するための三脚状の基部であるように、前記プラットフォーム取付部分から下方に且つ外側に夫々延びていることを特徴とする請求項９に記載のケーブル設置装置。
【請求項１１】
前記長尺部材は、前記長尺部材の夫々の自由端部間に120 度の間隔を定めるために、前記ケーブル設置装置の軸芯に対して等間隔に配置されていることを特徴とする請求項９又は１０に記載のケーブル設置装置。
【請求項１２】
前記長尺部材は夫々、前記プラットフォーム取付部分に固定された第１の部分と、該第１の部分に可動的に連結された第２の部分とを有していることを特徴とする請求項９乃至１１のいずれかに記載のケーブル設置装置。
【請求項１３】
前記第２の部分は、水平軸芯回りに動くべく前記第１の部分にヒンジ取り付けされていることを特徴とする請求項１２に記載のケーブル設置装置。
【請求項１４】
前記第２の部分は、前記第１の部分に対して軸方向に動くべく構成されていることを特徴とする請求項１２に記載のケーブル設置装置。
【請求項１５】
前記第２の部分の長さが調整可能であることを特徴とする請求項１２乃至１４のいずれかに記載のケーブル設置装置。
【請求項１６】
前記第２の部分は、伸縮自在に連結された少なくとも２つの部分を有していることを特徴とする請求項１５に記載のケーブル設置装置。
【請求項１７】
前記長尺部材の自由端部は夫々フランジ取付部分を有していることを特徴とする請求項９乃至１６のいずれかに記載のケーブル設置装置。
【請求項１８】
前記フランジ取付部分は夫々、前記ケーブル設置装置を前記構造体に確実に取り付けるために前記構造体の内側フランジのボルト穴に対応する一又は複数の穴を有していることを特徴とする請求項１７に記載のケーブル設置装置。
【請求項１９】
前記長尺部材は夫々自由端部にガイド部材を有していることを特徴とする請求項９乃至１８のいずれかに記載のケーブル設置装置。
【請求項２０】
前記ガイド部材は夫々、内側フランジ付開口部と適切に係合するために、前記構造体の軸芯に対して対応するフランジ取付部分の内部に設けられていることを特徴する請求項１９に記載のケーブル設置装置。
【請求項２１】
前記ガイド部材は夫々、対応する長尺部材から対応するフランジ取付部分を越えて下方に延びていることを特徴とする請求項２０に記載のケーブル設置装置。
【請求項２２】
前記ガイド部材は夫々、内側フランジ付開口部との整列を補助すべく使用される際に前記内側フランジ付開口部と係合するための、角度を成す外面を有していることを特徴とする請求項１９乃至２１のいずれかに記載のケーブル設置装置。
【請求項２３】
前記プラットフォームは、出入梯子、安全手すり及び／又は格子を有していることを特徴とする請求項１乃至２２のいずれかに記載のケーブル設置装置。
【請求項２４】
船舶クレーンが前記ケーブル設置装置を構造体の所定の位置に持ち上げて移動させるべく確実に取り付けるための少なくとも１つの取付ポイントを更に備えていることを特徴とする請求項１乃至２３のいずれかに記載のケーブル設置装置。
【請求項２５】
索具、照明装置、発電機、安全装置、ガス抜き装置、救命福祉装備、格納設備、作業員のためのシェルタ、及び前記ケーブル設置装置及び／又は構造体用の保護カバーの内の一又は複数を更に備えていることを特徴とする請求項１乃至２４のいずれかに記載のケーブル設置装置。
【請求項２６】
一端部に開口部を画定する内側フランジを有する構造体に取り付けられた請求項１乃至２５のいずれかに記載のケーブル設置装置。
【請求項２７】
前記構造体は風力タービン塔部又は基礎であることを特徴とする請求項２６に記載のケーブル設置装置。
【請求項２８】
実質的に本明細書に記載されているか、又は添付図面のいずれかに示されている装置。
【請求項２９】
一端部に開口部を画定する内側フランジを有する構造体にケーブルを設置する方法であって、
−  請求項１乃至２８のいずれかに係る装置を準備するステップ、
−  前記装置に持上げ装置を取り付けるステップ、
−  前記装置を上げて、前記構造体の内側フランジ付開口部の上に前記装置を位置付けるステップ、
−  前記装置を前記内側フランジ付開口部に下ろして、前記少なくとも１つのガイド部材を前記内側フランジ付開口部と係合させるステップ、
−  前記装置を前記内側フランジ付開口部と並べるステップ、
−  前記装置を前記内側フランジに取り付けるステップ、
−  前記持上げ装置を取り除くステップ、
−  前記ケーブルウィンチのウィンチワイヤを、設置されるケーブルまで下ろすステップ、
−  前記ケーブルにウィンチワイヤを取り付けるステップ、
−  前記ケーブルウィンチを操作して前記ケーブルを前記構造体を通して引き上げるステップ、
−  前記ケーブルから前記ウィンチワイヤを取り除いて設置を完了するステップ
を有することを特徴とする方法。
【請求項３０】
−  一又は複数のガイド部材を開放位置に展開するステップ、及び
−  前記持上げ装置を用いて前記装置を前記構造体から回収するステップ
を更に有することを特徴とする請求項２９に記載の方法。
【請求項３１】
−  第１及び第２の部分を夫々有する一又は複数のガイド部材を準備するステップ、及び
−  特定の大きさのフランジに適応するため、及び／又は前記プラットフォーム取付部分及び前記フランジ間に所望の高さを定めるため、及び／又は前記第１及び第２の部分間に所望の角度を定めるために、前記第１の部分を前記第２の部分に対して選択的に動かすステップ
を更に有することを特徴とする請求項２９又は３０に記載の方法。
【発明の詳細な説明】
【技術分野】
【０００１】
本発明は、風力タービン塔部又は基礎のような、フランジ又は他の適切な下ろすための接触面を備えた構造体にケーブルを設置するための装置に関する。本発明はより具体的には、風力タービン塔部又は基礎に取り付けるためのケーブル引込み装置に関する。
【背景技術】
【０００２】
風力タービン塔部又は基礎にケーブルを設置する公知の方法は、引込みウィンチを必要とし、引込みウィンチはまず、設置された塔部のフランジ付上端部に直接取り付けられたサービスプラットフォームに他の必要な装置と共に下ろされる。引込みウィンチは、発電機が塔部に設置されて、ケーブルが発電機に連結され得る前に、塔部を通してケーブルを引き上げるために使用される。ケーブルは「Ｊチューブ（J-tube）」を通して引き上げられてもよく、Ｊチューブは、このような塔部の基礎に設けられることが多く、Ｊチューブにケーブルを導くためにいわゆる「ベルマウス」を備えている。多くの案内滑車が、ケーブルを塔壁を通して上方に導くために塔壁内に装備することにより設けられてもよい。
【先行技術文献】
【特許文献】
【０００３】
【特許文献１】米国特許出願公開第2011／042632号明細書
【発明の概要】
【発明が解決しようとする課題】
【０００４】
しかしながら、ケーブルを引込むためのこのような公知の方法は、まずサービスプラットフォームを設置して、次に引込みウィンチ及び他の装置を設置するために多くの別個の持上げ操作を必要とする。このような持上げ操作は、塔部の近くに位置付けられた平底荷船又は船舶に取り付けられたクレーンによって行われるため、ケーブルを引込むための公知の方法は、特に時間及びコストがかかる。これは、複数回の持上げ操作を行うときに装置及び作業員に関わる特有のリスクを高めるため悪天候の状況では更に望ましくない。
【課題を解決するための手段】
【０００５】
本発明の第１の態様は、一端部に開口部を画定する内側フランジを有する構造体に取り付けるためのケーブル設置装置であって、
−  プラットフォーム、
−  該プラットフォームに取り付けられたケーブルウィンチ、及び
−  前記構造体の内側フランジに取り付け可能であり、前記プラットフォームを支持するための基部
を備えており、
該基部は、前記ケーブル設置装置を構造体に導くために、前記ケーブル設置装置が取り付けられる内側フランジと係合すべく構成された少なくとも１つのガイド部材を有していることを特徴とするケーブル設置装置を提供する。
【０００６】
本発明により、船舶クレーンが一回の持上げ操作で、風力タービン塔部のような構造体のフランジ付端部にケーブル設置装置を迅速且つ簡単に持ち上げて移動させて位置付けることが可能になる。ケーブルウィンチは、引上げ前にプラットフォームに適切に取り付けられてもよく、又は、プラットフォームに常時取り付けられてもよく、その後設置されたときに発電機への連結を可能にするために、塔の基部から上部のフランジ付端部までアレイケーブル及びメッセンジャーワイヤのような他の索具を引き上げるための「引込み」ウィンチであることが好ましい。少なくとも１つのガイド部材により、作業員がケーブル設置装置の基部を塔部のフランジと並べることが容易になり、特に危険な持上げ及び位置決め中に作業員が塔部に居る必要性が排除される。
【０００７】
基部はプラットフォームに着脱可能に取り付けられていることが好ましい。このため、基部がプラットフォームの代わりに使用可能になる。適切には、塔部のフランジの直径のような構造体の特定の大きさに一致させるために、基部は複数の様々な大きさの基部から選択されてもよい。このため、様々な大きさの構造体に適合するために広範囲の様々な大きさの基部と共に単一のプラットフォームを使用することが可能になる。プラットフォームから基部を外すことにより、使用していないとき、例えば、陸上で格納されるとき、又は沖合の場所に対する移動のときにケーブル設置装置の容易且つコンパクトな収容が可能になる。適切には、基部及び／又はプラットフォームは、例えば船舶のデッキに固定されるときなどにコンパクトな収容のために積み重ねられるべく構成されている。
【０００８】
基部は、プラットフォームを構造体の内側フランジ付開口部の上に軸方向に位置付けるべく構成されていることが好ましい。ケーブルウィンチは、引込みウィンチワイヤ及びケーブルの軸方向の引回しが構造体を通して行われるために前記プラットフォームに取り付けられていることが好ましい。このため、ウィンチワイヤ及び一又は複数のケーブルの安定した巻上げが可能になり、構造体の内部における引上げポイントの必要性が排除される。
【０００９】
適切には、基部はプラットフォームに取り付けるためのプラットフォーム取付部分を有してもよく、少なくとも１つのガイド部材がプラットフォーム取付部分から延びている。適切には、プラットフォーム取付部分の大きさ及び形状がプラットフォームの大きさ及び形状と一致してもよい。例えば、プラットフォーム及びプラットフォーム取付部分は、互いに係合して取り付けられるために略正方形状であってもよい。或いは、プラットフォーム及びプラットフォーム取付部分の形状が略環状であってもよい。
【００１０】
適切には、少なくとも１つのガイド部材は、使用中にプラットフォーム取付部分から下方に延びる環状部分を有してもよく、環状部分は内側フランジ付開口部の直径に相当する直径を有しており、そのため、環状部分が内側フランジ付開口部に受けられ得る。ケーブル設置装置の基部は、構造体の内側フランジ付開口部に安全に挿入されると、例えば内側フランジに直接ボルト締めされることにより構造体に確実に取り付けられてもよい。適切には、ガイド部材は、構造体の内側フランジ付開口部との整列及び内側フランジ付開口部への挿入を更に補助するために、構造体の内側フランジ付開口部と係合するための、角度を成す係合面を有してもよい。基部は、ユニットがより厳しい海上状態で展開され得るために「安定着地（soft landing）」機構を更に有してもよい。
【００１１】
基部は、プラットフォーム取付部分から下方に延びる少なくとも３つの間隔を置いて配置された長尺部材を有していることが好ましい。或いは、長尺部材は夫々プラットフォームに直接取り付けられるべく構成されてもよい。前記長尺部材は、前記プラットフォームを支持するための三脚状の基部であるように、前記プラットフォーム取付部分から下方に且つ外側に夫々延びていることが好ましい。前記長尺部材は、前記長尺部材の夫々の自由端部間に120 度の間隔を定めるために、前記ケーブル設置装置の軸芯に対して等間隔に配置されていることが好ましい。適切には、長尺部材はプラットフォーム取付部分に固定されてもよく、又は、使用されていないときに容易な収容を可能にするためにプラットフォーム取付部分に対して可動であってもよい。例えば、長尺部材は夫々、ケーブル設置装置が使用されていないときに長尺部材が内側に折り重ねられ得るために、プラットフォーム取付部分に回転自在に取り付けられてもよい。長尺部材は、使用する際に、構造体の内側フランジ付開口部と係合するための開放位置にあるように外側に動いてもよい。適切には、ケーブル設置装置は、ガイド部材を開放位置に展開して、使用されていないときにガイド部材を閉鎖位置に引っ込めるためにアクチュエータを備えてもよい。適切には、アクチュエータは、電気的に、空気圧的に又は油圧的に作動されてもよい。
【００１２】
各長尺部材をプラットフォーム取付部分に回転自在に取り付けることにより、構造体の様々な大きさの内側フランジ付開口部に適応すべく、長尺部材はプラットフォーム取付部分に対して適切に可動する。例えば、内側フランジの５メートルの直径に対してプラットフォーム取付部分と構造体の内側フランジとの間に高さH1を与えるべく、長尺部材は夫々水平線に対して角度αに方向付けられる。内側フランジの７メートルの直径に対して、長尺部材は夫々水平線に対して角度βを定めるために外側に動き、ここで、角度βは角度αより大きい。しかしながら、プラットフォーム取付部分と直径が７メートルの内側フランジとの間の高さH2は、高さH1より小さい。高さH1及び高さH2が例えば等しいことが望ましい場合、長尺部材の長さは夫々、様々な大きさのフランジに適応するために調整可能であってもよい。適切には、長尺部材は夫々伸縮自在であってもよく、適宜の手段によって選択的に調整可能であってもよい。
【００１３】
或いは、長尺部材は夫々、プラットフォーム取付部分に固定して取り付けられた第１の部分と、プラットフォーム取付部分に対する末端部で第１の部分にヒンジ取り付けされた第２の部分とを有してもよい。第２の部分は、水平軸芯回りに第１の部分に対して動くべく配置されていることが好ましい。使用中、第１の部分は上方部分となり、第２の部分は下方部分となる。第２の部分は、モータのような適宜の手段によって第１の部分に対して選択的に可動であってもよい。各長尺部材の第１及び第２の部分のこのような選択的な動きにより、長尺部材は、様々な大きさのフランジに適応すべく夫々に応じて調整され得る。例えば、内側フランジの直径が５メートルである場合、第１及び第２の部分間に180 度の角度αを定めて、プラットフォーム取付部分及び内側フランジ間に高さH1を定めるために、各長尺部材の第１及び第２の部分は縦に並べられてもよい。例えば、内側フランジの直径が７メートルである場合、直径が増大した内側フランジに適応するために180 度未満の角度αを定めるべく、各長尺部材の第２の部分が第１の部分に対して適切に動く。言うまでもなく、長尺部材の第２の部分の長さL2が変わらない場合、内側フランジの５ｍの直径に対してプラットフォーム取付部分と内側フランジとの間の高さH2が高さH1より小さい。或いは、第２の部分の長さL2は、様々な大きさのフランジに適応するために選択的に調整可能であってもよく、そのために、第１及び第２の部分が確実に縦に並べられたままである、及び／又はプラットフォーム取付部分の高さが、ケーブル設置装置が取り付けられる内側フランジの大きさに関係なく確実に同じままである。例えば、内側フランジの直径が７メートルである場合、第１及び第２の部分間に180 度の角度αを定めるために、且つプラットフォーム取付部分及び内側フランジ間に高さH3を定めるために、第２の部分の長さは、第１及び第２の部分を縦に並べるために増大してもよい。この場合、高さH3は、直径が５メートルである内側フランジのための高さH1より大きくなり、例えば設置中にケーブルの中間部（bights）を扱って設置するための、プラットフォーム及び内側フランジ間の空間が大きくなる。この場合、第２の部分は、例えば伸縮自在に共に連結される少なくとも２つの部分を有してもよい。
【００１４】
好ましくは、長尺部材の自由端部は夫々フランジ取付部分を有している。長尺部材が第１及び第２の部分を有する場合、第２の部分が自由端部を有する。適切には、前記フランジ取付部分は夫々、前記ケーブル設置装置を前記構造体に確実に取り付けるために前記構造体の内側フランジのボルト穴に対応する一又は複数の穴を有してもよい。適切には、フランジ取付部分は夫々、ボルト穴を有する内側フランジの上面と係合するための板を有してもよい。
【００１５】
自由端部は夫々ガイド部材を有していることが好ましい。ガイド部材は夫々、対応する長尺部材に適切に取り付けられてもよく、又は対応する長尺部材と一体に構成されてもよい。ガイド部材は夫々、例えば対応する長尺部材に溶接されてもよい。ガイド部材は夫々、内側フランジ付開口部との適切な係合のために構造体の軸芯に対して対応するフランジ取付部分の内部に設けられていることが好ましい。ガイド部材は夫々、対応する長尺部材から対応するフランジ取付部分を越えて下方に延びていることが好ましい。前記ガイド部材は夫々、内側フランジ付開口部との整列を補助すべく使用される際に前記内側フランジ付開口部と係合するための、角度を成す外面を有していることが好ましい。適切には、ガイド部材は夫々板状であってもよい。各ガイド部材の角度を成す表面が、板の縁に設けられてもよく、又は各ガイド部材の縁に取り付けられたスキッドによって設けられてもよい。適切には、スキッドは夫々対応するガイド部材の垂直面に垂直であってもよい。
【００１６】
適切には、プラットフォームは出入梯子、安全手すり及び／又は格子を有してもよい。前記ケーブル設置装置は、船舶クレーンが前記ケーブル設置装置を構造体の所定の位置に持ち上げて移動させるべく確実に取り付けるための少なくとも１つの取付ポイントを備えていることが好ましい。このような取付ポイントは、例えばループ、環（eye ）又はシャックルを有してもよい。
【００１７】
適切には、ケーブル設置装置は、例えば索具、照明装置、ケーブルウィンチ及び／又は照明装置のための発電機、安全装置などのケーブル引込みのための更なる装置を備えてもよい。他の装置は、構造体の基礎のような構造体内の限られた空間への有人進入を補助するためにガス解放装置を有してもよい。作業員が通常の作動状態中に長時間に亘って構造体／プラットフォームに滞在したり、又は、例えば悪天候によって引き起こされる緊急状態のためより長く滞在したりする場合があるので、ケーブル設置装置は、例えば、寝袋、化学洗浄トイレ及び非常食のような救命福祉装備を更に備えてもよい。ケーブル設置装置は、このような装備のための格納設備を適切に備えてもよい。更に、ケーブル設置装置は一般的に相当な期間に亘って構造体に取り付けられてもよいので、ケーブル設置装置は、特には海上環境でケーブル設置装置自体を保護するために、且つ、ケーブル設置装置が取り付けられる構造体の内部を要素から保護するために、適切な保護カバーを備えてもよい。フランジが予め設置された保護キャップの特徴を有するならば、ケーブル設置装置は保護キャップと連結すべく構成されてもよく、引込みモジュールを展開する前に保護キャップを回収する要件を排除することが可能になる。
【００１８】
本発明の更なる態様は、一端部に開口部を画定する内側フランジを有する構造体に取り付けられた、上述したような装置を提供する。構造体は風力タービン塔部又は基礎であることが好ましい。
【００１９】
本発明の更なる態様は、一端部に開口部を画定する内側フランジを有する構造体にケーブルを設置する方法であって、
−  上述した装置を準備するステップ、
−  前記装置に持上げ装置を取り付けるステップ、
−  前記装置を上げて、前記構造体の内側フランジ付開口部の上に前記装置を位置付けるステップ、
−  前記装置を前記内側フランジ付開口部に下ろして、前記少なくとも１つのガイド部材を前記内側フランジ付開口部と係合させるステップ、
−  前記装置を前記内側フランジ付開口部と並べるステップ、
−  前記装置を前記内側フランジに取り付けるステップ、
−  前記持上げ装置を取り除くステップ、
−  前記ケーブルウィンチのウィンチワイヤを、設置されるケーブルまで下ろすステップ、
−  前記ケーブルにウィンチワイヤを取り付けるステップ、
−  前記ケーブルウィンチを操作して前記ケーブルを前記構造体を通して引き上げるステップ、及び
−  前記ケーブルから前記ウィンチワイヤを取り除いて設置を完了するステップ
を有することを特徴とする方法を提供する。
【００２０】
前記方法は、
−  一又は複数のガイド部材を開放位置に展開するステップ、及び
−  前記持上げ装置を用いて前記装置を前記構造体から回収するステップ
の一又は複数を更に有してもよい。
【００２１】
前記方法は、
−  第１及び第２の部分を夫々有する一又は複数のガイド部材を準備するステップ、及び
−  特定の大きさのフランジに適応するため、及び／又は前記プラットフォーム取付部分及び前記フランジ間に所望の高さを定めるため、及び／又は前記第１及び第２の部分間に所望の角度を定めるために、前記第１の部分を前記第２の部分に対して選択的に動かすステップ
の一又は複数を更に有してもよい。
【００２２】
適切には、各ガイド部材の第１及び第２の部分のこのような動きは、第１及び第２の部分の回転及び／又は軸方向移動であってもよい。適切には、第１及び第２の部分は、このような軸方向移動のために伸縮自在に配置されてもよい。代わりに又は加えて、第２の部分は、伸縮自在に配置されているように、互いに対して軸方向に動くべく配置された少なくとも２つの部分を有してもよい。適切には、持上げ装置は船舶クレーンであってもよい。
【図面の簡単な説明】
【００２３】
【図１】タービン塔部のフランジ付端部に取り付けられたケーブル設置装置を示す図である。
【図２】図１のケーブル設置装置を示す側面図である。
【図３ａ】ケーブル設置装置が塔部のフランジ付開口部に下げられ、フランジ付開口部と並べられた状態を示す図である。
【図３ｂ】所定の位置における図3aのケーブル設置装置を示す図である。
【図３ｃ】塔部のフランジと係合したケーブル設置装置を示す拡大図である。
【図４ａ】様々な大きさのフランジに適応するための本発明の更なる実施形態を示す図である。
【図４ｂ】様々な大きさのフランジに適応するための本発明の更なる実施形態を示す図である。
【図５ａ】様々な大きさのフランジに適応するための本発明の更なる実施形態を示す図である。
【図５ｂ】様々な大きさのフランジに適応するための本発明の更なる実施形態を示す図である。
【図５ｃ】様々な大きさのフランジに適応するための本発明の更なる実施形態を示す図である。
【発明を実施するための形態】
【００２４】
本発明の実施形態を、添付図面を参照して単なる一例として述べる。
【００２５】
図１及び２に示されているように、ケーブル設置装置2 は、ケーブルウィンチ14、発電機22及び格納部24を取り付けるための正方形状のプラットフォーム4 を備えており、ケーブルウィンチ14、発電機22及び格納部24は全て、安全手すり16に囲まれている。出入階段18がプラットフォームに出入りするために安全手すり内のゲートに通じている。ケーブルウィンチ14は、プラットフォームの中心部分に取り付けられており、プラットホームの床又は格子の開口部（不図示）により、ケーブルウィンチがプラットフォームの下方でウィンチワイヤを上下させることが可能になる。  
【００２６】
プラットフォーム4 は基部6,8 に支持されており、基部は、プラットフォームと共に補足的に形成されたプラットフォーム取付部分6 と、プラットフォーム取付部分6 から下方に外側に延びる３つの脚部8 とを有している。脚部8 は夫々、プラットフォーム取付部分6 から最も遠い自由端部にフランジ取付部分12を有しており、フランジ取付部分12は、ケーブル設置装置をタービン塔部20のフランジ26に取り付けるために、フランジボルトが通るための穴を有している。脚部8 は、フランジ取付部分12間に120 度の間隔をあけるようにプラットフォーム取付部分6 に取り付けられている。このため、ケーブル設置装置が塔部の軸芯30に関する塔部の中央部分に望ましく置かれ、ケーブルウィンチが軸方向に作動してケーブルをより簡単、迅速且つ安全に設置することが保証される。更に、ケーブル設置装置の重心が塔部の軸芯30に関する中心にあることが保証される。ケーブル設置装置の重量は、特にはケーブルウィンチが作動しているときのケーブルの引込み中に、プラットフォームを安定して支持しながらフランジに均一に分散される。脚部8 は夫々、対応する脚部8 から下方に延びるガイド部材10を更に有している。使用中、軸芯30に関する各ガイド部材10の内縁部が、ケーブル設置装置が塔部上に下げられるときにフランジ開口部と係合するための係合面として機能する。ガイド部材10は、塔部上に下げられるとき、ケーブル設置装置をフランジと並べるように導く。各ガイド部材10の係合面は並べ易くするために角度を成している。
【００２７】
図3a乃至3cは、簡略化のために図示されていないプラットフォームと共に、ケーブル設置装置が塔部に設置された状態を示している。ケーブル設置装置は、一般的にはケーブルを設置する前に配置される。ケーブル設置装置を配置するために、（業界では「塔チーム（tower team）」として知られている）作業員チームがまず塔部20に近づく。塔チームは、塔部が安全で汚れておらず、フランジがケーブル設置装置を受ける準備ができていることを確認する。次に、ケーブル設置装置を配置する船舶が、ケーブル設置装置の移動に備えてクレーンが塔部に届く範囲内に位置付けられる。その後、船舶内のチームが船舶クレーンをケーブル設置装置に取り付ける。その後、船舶クレーンは塔部20にケーブル設置装置を移すために使用される。
【００２８】
図3aは、ケーブル設置装置が、フランジ26と係合するために塔部20に向かって船舶クレーンによって下げられている状態を示している。ガイド部材10の角度を成す係合面は、ケーブル設置装置をフランジ26の所定の位置に導き並べるのに役立つ。図3bに示されているように、ケーブル設置装置が所定の位置に置かれると、フランジ取付部分12はフランジボルト（不図示）でフランジに締められ、船舶クレーンはケーブル設置装置から外される。図3cは、フランジ及びケーブル設置装置の接触面を示している。各ガイド部材10の係合面は、対応するガイド部材10に垂直に取り付けられているスキッド32によって設けられてもよい。
【００２９】
図4a及び4bに示されているように、脚部8は夫々、脚部が取り付けられる構造体の様々な大きさのフランジ付開口部に適応するために、プラットフォーム取付部分6 に回転自在に取り付けられてもよい。例えば、フランジの５メートルの直径に対してプラットフォーム取付部分と構造体のフランジとの間に高さH1を与えるべく、脚部8 は夫々水平線に対して角度αに方向付けられる。フランジの７メートルの直径に対して、脚部8 は夫々水平線に対して角度βを定めるために外側に動き、ここで、角度βは角度αより大きい。しかしながら、プラットフォーム取付部分6 と直径が７メートルのフランジとの間の高さH2が、高さH1より小さい。高さH1及び高さH2が例えば等しいことが望ましい場合、脚部8 の長さは夫々、様々な大きさのフランジに適応するために調整可能であってもよい。適切には、脚部8 は夫々伸縮自在であってもよく、適宜の手段によって選択的に調整可能であってもよい。
【００３０】
或いは、図5a乃至5cに示されているように、脚部8 は夫々、プラットフォーム取付部分6 に固定して取り付けられた第１の部分40と、プラットフォーム取付部分6 に対する末端部で第１の部分40にヒンジ取り付けされた第２の部分42とを有してもよい。第２の部分42は、第１の部分40に対して水平軸芯回りに動くべく配置されている。第１の部分40は上方部分であり、第２の部分42は下方部分である。第２の部分42は、モータのような適宜の手段によって第１の部分40に対して選択的に可動であってもよい。各脚部8 の第１及び第２の部分のこのような選択的な動きにより、第１及び第２の部分は、様々な大きさのフランジに適応すべく夫々に応じて調整され得る。例えば、フランジの直径が５メートルである場合、第１及び第２の部分間に180 度の角度αを定めて、プラットフォーム取付部分6 及びフランジ間に高さH1を定めるために、各脚部8 の第１及び第２の部分は縦に並べられてもよい。例えば、フランジの直径が７メートルである場合、直径が増大したフランジに適応するために180 度未満の角度αを定めるべく、各脚部8 の第２の部分42が第１の部分40に対して適切に動く。言うまでもなく、脚部8 の第２の部分42の長さL2が変わらない場合、フランジの５ｍの直径に対してプラットフォーム取付部分6 とフランジとの間の高さH2が高さH1より小さい。或いは、第２の部分42の長さL2は、様々な大きさのフランジに適応するために選択的に調整可能であってもよく、そのために、第１及び第２の部分が確実に縦に並べられたままである、及び／又はプラットフォーム取付部分6 の高さが、ケーブル設置装置が取り付けられるフランジの大きさに関係なく確実に同じままである。例えば、フランジの直径が７メートルである場合、第１及び第２の部分間に180 度の角度αを定めるために、且つプラットフォーム取付部分6 及びフランジ間に高さH3を定めるために、第２の部分42の長さは、第１及び第２の部分を縦に並べるために増大してもよい。この場合、高さH3は、直径が５メートルであるフランジのための高さH1より大きくなり、例えば設置中にケーブルの中間部（bights）を扱って設置するための、プラットフォーム及びフランジ間の空間が大きくなる。この場合、第２の部分42は、例えば伸縮自在に共に連結される少なくとも２つの部分を有してもよい。
【００３１】
塔チームは、ケーブル設置装置を塔部20に下ろして、ケーブル設置装置が塔部20に確実に取り付けられるとリフト索具を外す責任がある。その後、ケーブル設置装置は作業に備えて設定される。塔チームによって行われる次の作業はメッセンジャーワイヤの設置である。ガス解放装置が塔のケーブル基盤への有人進入を容易にするために使用されてもよいので、ケーブル設置装置はメッセンジャーワイヤの設置を補助するために使用されてもよい。ケーブルウィンチ14が更に、メッセンジャーワイヤの回収を補助するために展開されてもよい。この段階で、ケーブル設置装置は停止し、安全性が確保される。塔チームは、ケーブルを引き込むために他のモノポール（monopoles ）を準備すべく塔部から離れる。
【００３２】
ケーブルを引き込む前に、塔チームは基礎に近づき、ケーブル設置装置を設定する。その後、ウィンチワイヤがケーブル敷設船舶に回収され、ケーブルが回収される。ケーブルを引き込んだ後、ケーブル設置装置は閉鎖され、ケーブル設置装置が配置されたときと同様に船舶に回収される。塔チームは最後に、塔及びタービンの設置、並びにケーブルの塔及びタービンとの連結に備えて塔の安全性を確保する。
【００３３】
本発明に係るケーブル設置装置により、該ケーブル設置装置が迅速、簡単且つ安全に設置されることが可能になり、従って、タービン塔部のような構造体のフランジ付端部に一回の持上げ及び整列操作で安価に設置されることが可能になる。
【図１】
2014533081.tif 000003
【図２】
2014533081.tif 000004
【図３ａ】
2014533081.tif 000005
【図３ｂ】
2014533081.tif 000006
【図３ｃ】
2014533081.tif 000007
【図４ａ】
2014533081.tif 000008
【図４ｂ】
2014533081.tif 000009
【図５ａ】
2014533081.tif 000010
【図５ｂ】
2014533081.tif 000011
【図５ｃ】
2014533081.tif 000012
【国際調査報告】
2014533081.tif 000013
2014533081.tif 000014
2014533081.tif 000015